(57)【要約】【課題】安全手摺Ｔの運搬時や保管時等の非使用時に水平手摺材６と斜材７，８とがばらけないように固定するための安全手摺用固定具を提供する。【解決手段】枠組足場の組立にあたり既設下段足場板１０から新設上段足場板１０の仮設手摺として足場用建枠１の縦材２，２間に取り付けられる安全手摺Ｔで、水平手摺材６とこれの両端部に夫々の一端部が枢着された一対の斜材７，８とからなる安全手摺Ｔを、非使用時にその手摺材６と斜材７，８とがばらけないように固定するための樹脂製安全手摺用固定具１２であって、水平手摺材６の中央部に取り付けられる手摺材固定部１３と、手摺材固定部１３と一体に連接され、両斜材７，８を水平手摺材６に対し折り畳んだ時に両斜材７，８の遊端側を夫々嵌め込んで固定するように形成された両側一対の断面略Ｃ字状の斜材固定部１４，１５と、からなる。【選択図】図３
2007063897.tif 000002
【特許請求の範囲】
【請求項１】
枠組足場の組立にあたって既設下段足場板から新設上段足場板の仮設手摺として足場用建枠の縦材間に取り付けられる安全手摺で、水平手摺材とこれの両端部に夫々の一端部が枢着された一対の斜材とからなる安全手摺を、非使用時にその手摺材と斜材とがばらけないように固定するための合成樹脂製の安全手摺用固定具であって、
水平手摺材の中央部にそれを抱持するように取り付けられる手摺材固定部と、手摺材固定部と一体に連接され、両斜材を水平手摺材に対し折り畳んだ時に両斜材の遊端側を夫々嵌め込んで固定するように形成された両側一対の断面略Ｃ字状の斜材固定部と、からなる安全手摺用固定具。
【請求項２】
前記手摺材固定部は、開くと断面略円弧形を成し、閉じると断面円形を成すように弾性変形可能な可変板状部からなり、この可変板状部の両端部に両側一対の接合板部を介して前記一対の断面略Ｃ字状斜材固定部が一体連接され、可変板状部を閉じることによって、両接合板部どうしを接合させると共に、両Ｃ字状斜材固定部を背中合わせに接合させて、両接合板部をボルト止めするようにしてなる請求項１に記載の安全手摺用固定具。
【請求項３】
前記一対の断面略Ｃ字状斜材固定部の夫々外端部には、両Ｃ字状斜材固定部が背中合わせに接合する時に互いに係嵌する係嵌部が形成されている請求項２に記載の安全手摺用固定具。
【発明の詳細な説明】
【技術分野】
【０００１】
本発明は、枠組足場の組立にあたって既設下段足場板から新設上段足場板の仮設手摺として足場用建枠の縦材間に取り付けられる安全手摺であって、水平手摺材とこれの両端部に夫々の一端部が枢着された一対の斜材とからなる安全手摺を、取り付けの際や、運搬、保管時等の非使用時にその手摺材及び両斜材の３本の棒材がばらけないように固定する、つまり簡易ロックするための安全手摺用固定具に関する。
【背景技術】
【０００２】
図１の(a) はＨ形の足場用建枠１からなる枠組足場を示す正面図、(b) はその側面図、(c) は安全手摺Ｔを示す正面図である。Ｈ形足場用建枠１は、両側一対の縦材２，２と、両縦材２，２の中間部をつなぐ横材３と、各縦材２と横材３とのコーナー部を補強する補強材４からなるもので、各縦材２の上端部及び中間部には夫々内側面部にロック爪付きピン５が突設されている。また安全手摺Ｔは、水平手摺材６と、これの両端部に夫々取り付けられた回転金具９を介して夫々の一端部が枢着された一対の斜材７，８とからなる。
【０００３】
枠組足場の組立にあたっては、足場用建枠１を一定間隔おきに対向配置して、両足場用建枠１，１の対向する縦材２，２間に亘って安全手摺Ｔを取り付けると共に、対向する横材３，３間に亘って足場板１０を架け渡すことにより、１段目足場を組み立て、しかしてこの１段目足場の足場板１０に上がって２段目の足場用建枠１を継ぎ足し、この２段目足場用建枠１，１の対向する縦材２，２間に安全手摺Ｔを取り付けた後、対向する横材３，３間に足場板１０を架け渡すことによって、２段目足場を組み立てる。以降同様にして、足場用建枠１を順次継ぎ足し、既設下段足場板１０から新設上段足場板１０の仮設手摺として縦材２，２間に安全手摺Ｔ取り付けながら枠組足場Ｗを組み立ててゆく。この足場用建枠１からなる枠組足場Ｗの場合には、足場用建枠１の両側に安全手摺Ｔが取り付けられる。
【０００４】
図２の(a) は変形Ｈ形足場用建枠１１からなる枠組足場を示す正面図、(b) はその側面図、(c) は安全手摺Ｔを示す正面図である。変形Ｈ形の足場用建枠１１は、一方の縦材２の中間部より下側に横材３の一端部を連結すると共に、この横材３の他端部に縦材２の上端部を連結し、横材３と両縦材２，２とのコーナー部に補強材４を介装してなるもので、枠組足場の組立にあたっては、足場用建枠１１を一定間隔おきに対向配置して、両足場用建枠１１，１１の対向する縦材２，２間に安全手摺Ｔを取り付け、対向する横材３，３間に足場板１０を架け渡すことにより、１段目足場を組み立て、しかしてこの１段目足場の足場板１０に上がって２段目の足場用建枠１を継ぎ足し、この２段目足場用建枠１，１の対向する縦材２，２間に安全手摺Ｔを取り付けた後、対向する横材３，３間に足場板１０を架け渡し、２段目足場を組み立てる。以降同様にして、足場用建枠１を順次継ぎ足し、既設下段足場板１０から新設上段足場板１０の仮設手摺として縦材２，２間に安全手摺Ｔ取り付けながら枠組足場Ｗを組み立てる。この変形Ｈ形足場用建枠１１からなる枠組足場Ｗの場合には、足場用建枠１の片側に安全手摺Ｔが取り付けられる。
【発明の開示】
【発明が解決しようとする課題】
【０００５】
ところで、上記のように枠組足場の組立時に既設下段足場板から新設上段足場板の仮設手摺として足場の縦材間に取り付けるのに使用される安全手摺Ｔは、水平手摺材６とこれの両端部に夫々の一端部が枢着された一対の斜材７，８との３本の棒材からなるもので、両斜材７，８が水平手摺材６に対しブラブラの状態にあって持ち難い上に、３本を一緒に掴まないとバラバラになるため、足場用建枠１，１１への取付時、あるいは運搬や保管の際に非常に危険であった。そこで、本発明は、安全手摺Ｔの取付けの際や、運搬、保管時等の非使用時に水平手摺材６及び斜材７，８の３本の棒材をばらけないように固定する、つまり簡易ロックするための安全手摺用固定具を提供することを目的とする。
【課題を解決するための手段】
【０００６】
上記課題を解決するための手段を、後述する実施形態の参照符号を付して説明すると、請求項１に係る発明の安全手摺用固定具は、枠組足場の組立にあたって既設下段足場板１０から新設上段足場板１０の仮設手摺として足場用建枠１，１１の縦材２，２間に取り付けられる安全手摺Ｔで、水平手摺材６とこれの両端部に夫々の一端部が枢着された一対の斜材７，８とからなる安全手摺Ｔを、非使用時にその手摺材６と斜材７，８とがばらけないように固定するための合成樹脂製の安全手摺用固定具１２であって、
水平手摺材６の中央部にそれを抱持するように取り付けられる手摺材固定部１３と、手摺材固定部１３と一体に連接され、両斜材７，８を水平手摺材６に対し折り畳んだ時に両斜材７，８の夫々中央部を夫々嵌め込んで固定するように形成された両側一対の断面略Ｃ字状の斜材固定部１４，１５と、からなることを特徴とする。
【０００７】
請求項２は、請求項１に記載の安全手摺用固定具において、前記手摺材固定部１３は、開くと断面略円弧形を成し、閉じると断面円形を成すように弾性変形可能な可変板状部からなり、この可変板状部１３の両端部に両側一対の接合板部１６，１７を介して前記一対の断面略Ｃ字状斜材固定部１４，１５が一体連接され、可変板状部１３を閉じることによって、両接合板部１６，１７どうしを接合させると共に、両Ｃ字状斜材固定部１４，１５を背中合わせに接合させて、両接合板部１６，１７をボルト１８止めするようにしてなることを特徴とする。
【０００８】
請求項３は、請求項２に記載の安全手摺用固定具において、前記一対の断面略Ｃ字状斜材固定部１４，１５の夫々外端部には、両Ｃ字状斜材固定部１４，１５が背中合わせに接合する時に互いに係嵌する係嵌部２０，２１が形成されていることを特徴とする。
【発明の効果】
【０００９】
上記解決手段による発明の効果を、後述する実施形態の参照符号を付して説明すると、請求項１に係る発明の安全手摺用固定具１２によると、安全手摺Ｔの水平手摺材６に固定具１２の手摺材固定部１３を固定し、安全手摺Ｔの斜材７，８を固定具１２の斜材固定部１４，１５に嵌め込んで固定しておくことにより、安全手摺Ｔの手摺材６と斜材７，８の３つの部材がばらけることがないから、例えば、既設下段側足場板１０の上から上段側足場用建枠１，１１に安全手摺Ｔを取り付ける際に、既設下段側足場板１０に上がるまでは安全手摺Ｔの３つの部材６，７，８を固定具１２で簡易ロック状態にしておいて、上段側足場用建枠１，１１への取付直前に、その既設下段側足場板１０の上でその簡易ロックを解除するようにすれば、持ち運びの途中でばらけることがなく、作業を安全に行なうことができる。また安全手摺Ｔの保管したり収納する時に３つの部材６，７，８を固定具１２で固定することにより、その保管収納を容易且つ効率良く行うことができるし、また安全手摺Ｔの搬送やトラック等への積み込み・積み下ろし作業も容易となる。また、この固定具１２は合成樹脂製のもので、構造が簡単であるため、安価に提供できる。
【００１０】
請求項２に係る発明によれば、手摺材固定部１３は、開くと断面略円弧形を成し、閉じると断面円形を成すように弾性変形可能な可変板状部からなり、この可変板状部１３の両端部に両側一対の接合板部１６，１７を介して一対の断面略Ｃ字状斜材固定部１４，１５が一体連接されていて、可変板状部１３を閉じることにより、両接合板部１６，１７どうしを接合させると共に、両Ｃ字状斜材固定部１４，１５を背中合わせに接合させて、両接合板部１６，１７をボルト１８止めするようにしているから、安全手摺Ｔの水平手摺材６への安全手摺用固定具１２の取り付けが容易になると共に、この固定具１２の組み付けが容易となり、また合成樹脂による成形が容易となって製造コストの低廉化を図ることができる。
【００１１】
請求項３に係る発明によれば、一対の断面略Ｃ字状斜材固定部１４，１５の夫々外端部には、両Ｃ字状斜材固定部１４，１５が背中合わせに接合する時に互いに係嵌する係嵌部２０，２１が形成されているから、斜材固定部１４，１５を接合させる際には、夫々の外端部に設けてある係嵌部２０，２１を互いに係嵌させることによって、背中合わせ状態にある両斜材固定部１４，１５を的確に接合することができる。
【発明を実施するための最良の形態】
【００１２】
以下に本発明の好適な実施形態を図面に基づいて説明すると、図３の(a) は本発明に係る安全手摺用固定具１２の使用状態を示す正面図、(b) は(a) の矢印Ｘで示す部分の拡大図、(c) は(b) のＹ−Ｙ線断面図、(d) は同安全手摺用固定具１２を示す斜視図である。この安全手摺用固定具１２は、合成樹脂製のもので、図３の(a) に示す安全手摺Ｔの水平手摺材６の中央部にそれを抱持するように取り付けられる手摺材固定部１３と、この手摺材固定部１３と一体に連接され、安全手摺Ｔの両斜材７，８を水平手摺材６に対し折り畳んだ時に両斜材７，８の中央部を夫々嵌め込んで固定するように形成された両側一対の断面略Ｃ字状の斜材固定部１４，１５とによって構成される。
【００１３】
図４は安全手摺用固定具１２を展開させた状態を実線で示し、閉じた状態を仮想線で示している。この図４によってこの安全手摺用固定具１２の構造を更に詳細に説明すれば、この固定具１２は、例えばポリプロピレン等により一体成形されたもので、常時は実線図示のような形態にあって、手摺材６の中央部に取り付けられる手摺材固定部１３は、実線図示のように開いた時に断面略円弧形を成し、仮想線図示のように閉じた時に断面円形を成すように弾性変形可能な可変板状部からなる。この可変板状部（手摺材固定部）１３の両端部には、両側一対の接合板部１６，１７を介して前記一対の断面略Ｃ字状斜材固定部１４，１５が一体に連接されている。
【００１４】
尚、手摺材固定部である可変板状部１３は、閉じた時の内径が安全手摺Ｔの外径よりも僅かに大きく形成されるものとする。また各断面略Ｃ字状斜材固定部１４，１５は、その内径が斜材７，８の外径より僅かに大きく形成されるのが好ましいが、断面が略Ｃ字状であるため、斜材７，８の外径と同一の内径に形成されてもよい。
【００１５】
しかして、この固定具１２は、可変板状部（手摺材固定部）１３を、図４の実線図示のように開いた状態から、仮想線図示のように閉じることによって、両接合板部１６，１７どうしを接合させると共に、両Ｃ字状斜材固定部１４，１５を背中合わせに接合させて、両接合板部１６，１７をボルト１８止めするようになっている。
【００１６】
また図３及び図４から分かるように、一対の断面略Ｃ字状斜材固定部１４，１５の夫々外端部には、両斜材固定部１４，１５が背中合わせに接合する時に互いに係嵌する係嵌部２０，２１が形成されている。また図４に示すように、両接合板部１６，１７には、ボルト挿通孔１６ａ，１７ａが設けられている。
【００１７】
上記のように構成される安全手摺用固定具１２の使用にあたっては、図４の実線図示のように開いた状態の手摺材固定部（可変板状部）１３の内周側を、安全手摺Ｔの水平手摺材６の中央部にあてがって、両側の斜材固定部１４，１５を持って図示の矢印方向に押し曲げながら、同図の仮想線図示のように、手摺材固定部（可変板状部）１３を閉じて水平手摺材６を抱持し、両接合板部１６，１７どうしを接合させると共に、両Ｃ字状斜材固定部１４，１５を背中合わせに接合させるようにする。
【００１８】
そして、両接合板部１６，１７のボルト挿通孔１６ａ，１７ａにボルト１８を挿通してナット１９で締め付けることにより、手摺材固定部１３を安全手摺Ｔの水平手摺材６に取り付け固定する。また、斜材固定部１４，１５を接合させる際には、夫々の外端部に設けてある係嵌部２０，２１を互いに係嵌させることによって、背中合わせ状態にある両斜材固定部１４，１５を一体的に接合する。
【００１９】
こうして安全手摺用固定具１２を水平手摺材６の中央部に取り付けた後、水平手摺材６に対し折り畳んだ斜材７，８の夫々中央部を、斜材固定部１４，１５に対し夫々嵌め込んで固定させることにより、安全手摺Ｔの水平手摺材６と両斜材７，８の３つの部材を掴持固定することができる。
【００２０】
この安全手摺用固定具１２は、安全手摺Ｔの水平手摺材６に常時取り付けておいて、安全手摺Ｔを使用しない時、即ち保管収納時、運搬時等には、その斜材固定部１４，１５に安全手摺Ｔの斜材７，８を夫々嵌め込んで固定した状態にしておく。しかして、安全手摺Ｔを仮設枠組足場に取り付ける際に、斜材７，８を固定具１２の斜材固定部１４，１５から抜き取ればよい。
【００２１】
以上説明したような安全手摺用固定具１２を安全手摺Ｔの水平手摺材６に取り付けておいて、安全手摺Ｔの斜材７，８を固定具１２の斜材固定部１４，１５に嵌め込んで固定させておくことにより、安全手摺Ｔの手摺材６と斜材７，８とがばらけることがないから、安全手摺Ｔの取付作業を安全に且つ能率良く行なうことができる。即ち、図１や図２に示される枠組足場の組立にあたって、既設下段側足場板１０の上から安全手摺Ｔを上段側足場用建枠１，１１に取り付ける際に、既設下段側足場板１０に上がるまでは安全手摺Ｔの３つの部材６，７，８を固定具１２で固定した状態にしておいて、上段側足場用建枠１，１１への取付直前に、既設下段側足場板１０の上でその固定（簡易ロック）を解除するようにすれば、安全手摺Ｔの持ち運び中に３つの部材６，７，８がばらけないので、作業を安全且つ能率よく行なうことができる。また、この固定具１２を使用することによって、安全手摺Ｔの保管収納も容易に且つ効率良く行うことができるし、安全手摺Ｔの搬送やトラック等への積み込み、積み下ろしも安全且つ容易に行なうことができる。また、この固定具１２は、合成樹脂製のもので、構造が簡単であるため、製造が容易で、安価に提供できる。
【００２２】
また、この安全手摺用固定具１２にあっては、手摺材固定部１３は、開くと断面略円弧形を成し、閉じると断面円形を成すように弾性変形可能な可変板状部からなり、この可変板状部１３の両端部に両側一対の接合板部１６，１７を介して一対の断面略Ｃ字状斜材固定部１４，１５が一体連接されていて、可変板状部１３を閉じることにより、両接合板部１６，１７どうしを接合させると共に、両Ｃ字状斜材固定部１４，１５を背中合わせに接合させて、両接合板部１６，１７をボルト１８止めするようにしているから、安全手摺Ｔの水平手摺材６への取り付けが容易になると共に、固定具１２の組み付けが容易となり、また合成樹脂による成形が容易となって製造コストの低廉化を図ることができる。
【図面の簡単な説明】
【００２３】
【図１】(a) はＨ形の足場用建枠１からなる枠組足場を示す正面図、(b) はその側面図、(c) は安全手摺Ｔを示す正面図である。
【図２】(a) は変形Ｈ形足場用建枠１１からなる枠組足場を示す正面図、(b) はその側面図、(c) は安全手摺Ｔを示す正面図である。
【図３】(a) は本発明に係る安全手摺用固定具１２の使用状態を示す正面図、(b) は (a)の矢印Ｘで示す部分の拡大図、(c) は(b) のＹ−Ｙ線断面図、(d) は同安全手摺用固定具１２を示す斜視図である。
【図４】安全手摺用固定具１２を展開させた状態を示す平面図である。
【符号の説明】
【００２４】
１            足場用建枠
２            縦材
Ｔ            安全手摺
６            安全手摺の水平手摺材
７，８        安全手摺の斜材
１２          安全手摺用固定具
１３          手摺材固定部
１４，１５    斜材固定部
１６，１７    接合板部
【図１】
2007063897.tif 000003
【図２】
2007063897.tif 000004
【図３】
2007063897.tif 000005
【図４】
2007063897.tif 000006